(57)【要約】      （修正有）【課題】光ケーブルの配線設計における自由度を向上させる光コネクタ用アダプタを提供する。【解決手段】一対の光ケーブルのそれぞれに設けた光コネクタを両端部に嵌合して、一対の光ケーブルを突き合わせ接続するアダプタ本体２1と、アダプタ本体２1が挿入される開口３１を有し、アダプタ本体２１を開口３１に挿入した状態で保持して、電子機器の表面パネル５０に固定される固定枠２２と、アダプタ本体２１を開口３１に挿入する方向において、固定枠２２に対するアダプタ本体２１の位置を調整することが可能な位置調整機構と、を備える。【選択図】図６
2015222342.tif 000002
【特許請求の範囲】
【請求項１】
一対の光ケーブルのそれぞれに設けた光コネクタを両端部に嵌合して、前記一対の光ケーブルを突き合わせ接続するアダプタ本体と、
前記アダプタ本体が挿入される開口を有し、前記アダプタ本体を前記開口に挿入した状態で保持して、電子機器の表面パネルに固定される固定枠と、
前記アダプタ本体を前記開口に挿入する方向において、前記固定枠に対する前記アダプタ本体の位置を調整することが可能な位置調整機構と、
を備えたことを特徴とする光コネクタ用アダプタ。
【請求項２】
請求項１に記載の光コネクタ用アダプタにおいて、
前記位置調整機構は、
前記アダプタ本体を前記固定枠の前記開口に挿入する方向に沿って、前記アダプタ本体の外周面に設けた複数の係止溝と、
前記固定枠に設けられ、前記固定枠の前記開口に挿入される前記アダプタ本体の前記複数の係止溝のいずれかの係止溝に係合する係止部と、
を有することを特徴とする光コネクタ用アダプタ。
【請求項３】
請求項２に記載の光コネクタ用アダプタにおいて、
前記係止部は、前記係止溝の断面形状に合わせて屈曲された屈曲部と、前記複数の係止溝のいずれかの係止溝との係合を解除する際に操作される操作部と、を有する板ばねであることを特徴とする光コネクタ用アダプタ。
【請求項４】
請求項１から請求項３のいずれか１項に記載の光コネクタ用アダプタにおいて、
前記固定枠は、前記電子機器の表面パネルに設けた取付孔に挿通される係止爪を有していることを特徴とする光コネクタ用アダプタ。
【発明の詳細な説明】
【技術分野】
【０００１】
本発明は、光コネクタ用アダプタに関する。
【背景技術】
【０００２】
一対の光ケーブル間の光接続は、例えば一対の光ケーブルの端部に取り付けた光コネクタを光コネクタ用アダプタの両端部に設けた嵌合部にそれぞれ嵌合して、一対の光ケーブルを突き合わせ接続することで可能となる。光コネクタ用アダプタは、例えば電子機器の表面パネルなどに固定されている。光コネクタ用アダプタを電子機器の表面パネルに固定する場合、光コネクタ用アダプタは、アダプタ本体の側面に有するばね性係止片を押圧しながら電子機器の表面パネルの取付孔に挿入される。アダプタ本体を表面パネルのアダプタ取付孔に挿入すると、アダプタ本体に設けた係止突部とばね性係止片との間にアダプタ取付孔の開口縁部が挟まれた状態となり、光コネクタ用アダプタが表面パネルに固定される（特許文献１参照）。
【先行技術文献】
【特許文献】
【０００３】
【特許文献１】特開２０１１−１３３６１１号公報
【発明の概要】
【発明が解決しようとする課題】
【０００４】
ここで、光接続に用いる光ケーブルは、許容曲げ半径が３０ｍｍに設定されている。表面パネルに固定された光コネクタ用アダプタに光コネクタを装着することを考慮すると、例えば表面パネルの前面側及び背面側に対して約６０ｍｍ程度の設置スペースが要求される。しかしながら、電子機器の内部構成や電子機器の設置条件によっては、表面パネルの前面側又は背面側に、光ケーブルに対して設定される許容曲げ半径を考慮した設置スペースが確保できない場合もある。このような場合には、電子機器に取り付けたブラケットに光コネクタ用アダプタを固定することで、表面パネルの前面側及び背面側に設置スペースを確保している。したがって、光コネクタ用アダプタを固定するブラケットが必要となり、また、光ケーブルの配線設計における自由度が低いという欠点がある。
【０００５】
本件開示の光コネクタ用アダプタは、光ケーブルの配線設計における自由度を向上させることができる技術を提供することを目的とする。
【課題を解決するための手段】
【０００６】
一つの観点によれば、光コネクタ用アダプタは、一対の光ファイバのそれぞれに設けた光コネクタを両端部から装着して、前記一対の光ファイバを突き合わせ接続するアダプタ本体と、前記アダプタ本体が挿通される開口を有し、前記アダプタ本体を前記開口に挿通した状態で装置本体に固定される固定枠と、前記アダプタ本体を前記開口に挿通する方向において、前記固定枠に対する前記アダプタ本体の位置を調整することが可能な位置調整機構と、を備える。
【発明の効果】
【０００７】
本件開示の光コネクタ用アダプタは、光ケーブルの配線設計における自由度を向上させることができる。
【図面の簡単な説明】
【０００８】
【図１】光コネクタ及び光コネクタ用アダプタの一例を示す斜視図である。
【図２】光コネクタ用アダプタを分解して示す斜視図である。
【図３】（ａ）固定枠の前面側を示す斜視図、（ｂ）固定枠の背面側を示す斜視図である。
【図４】（ａ）は第１状態となる光コネクタ用アダプタを示す斜視図、（ｂ）は、第２状態となる光コネクタ用アダプタを示す斜視図、（ｃ）は第３状態となる光コネクタ用アダプタを示す斜視図である。
【図５】（ａ）は固定枠を表面パネルに固定する前の断面図、（ｂ）は固定枠を表面パネルに固定した後の断面図である。
【図６】（ａ）はアダプタ本体を表面パネルに固定した固定枠の開口に挿入していない状態を示す断面図、（ｂ）はアダプタ本体を表面パネルに設けた開口を介して固定枠の開口に挿入した状態を示す断面図、（ｃ）は光コネクタ用アダプタが第１状態となるときのアダプタ本体と固定枠とを示す断面図である。
【図７】（ａ）は光コネクタ用アダプタが第２状態となるときのアダプタ本体と固定枠とを示す断面図、（ｂ）は光コネクタ用アダプタが第３状態となるときのアダプタ本体と固定枠とを示す断面図である。
【図８】（ａ）は、第１状態となる光コネクタ用アダプタ周辺を示す上面図、（ｂ）は、第１状態となる光コネクタ用アダプタ周辺を示す側面図である。
【図９】（ａ）は、第２状態となる光コネクタ用アダプタ周辺を示す上面図、（ｂ）は、第２状態となる光コネクタ用アダプタ周辺を示す側面図である。
【図１０】（ａ）は、第３状態となる光コネクタ用アダプタ周辺を示す上面図、（ｂ）は、第３状態となる光コネクタ用アダプタ周辺を示す側面図である。
【図１１】３個のアダプタ本体を固定枠に保持した光コネクタ用アダプタを示す斜視図である。
【発明を実施するための形態】
【０００９】
以下、図面を用いて実施形態を説明する。図１は、光コネクタ及び光コネクタ用アダプタの一例を示す。図１に示す光コネクタ用アダプタは、１芯の光コネクタ用の光コネクタ用アダプタについて示している。光コネクタ用アダプタ１０は、光ケーブル１１の一端に有する光コネクタ１２と、光ケーブル１３の一端に有する光コネクタ１４とを光コネクタ用アダプタ１０の両端にそれぞれ嵌合する。光コネクタ１２と光コネクタ１４とを光コネクタ用アダプタ１０の両端にそれぞれ嵌合させると、光ケーブル１１と光ケーブル１３とが突き合わせ接続された状態となる。
【００１０】
図２に示すように、光コネクタ用アダプタ１０は、アダプタ本体２１及び保持枠２２を含む。アダプタ本体２１は、合成樹脂材を用いた角筒状の成型品である。アダプタ本体２１は、図２中ｙ方向の両端部に光コネクタ１２，１４がそれぞれ嵌合される嵌合部２５，２６を備えている。
【００１１】
アダプタ本体２１は、図２中ｙ方向に沿って同一の間隔を空けて配列された３個の係止溝２７ａ，２７ｂ，２７ｃを側面２１ａに有する。また、アダプタ本体２１は、図２中ｙ方向に沿って同一の間隔を空けて配列された３個の係止溝２８ａ，２８ｂ，２８ｃを側面２１ｂに有する。図２中ｙ方向における係止溝２７ａの位置と係止溝２８ａの位置とは同一位置となる。図２中ｙ方向における係止溝２７ｂの位置と係止溝２８ｂの位置とは同一位置である。図２中ｙ方向における係止溝２７ｃの位置と係止溝２８ｃの位置とは、同一位置となる。各係止溝は、図２中ｙ方向における両端部分から中央部分に向けて下り傾斜する２つの傾斜面を組み合わせた溝である。
【００１２】
なお、図２においては、アダプタ本体２１の側面２１ａ及び側面２１ｂのそれぞれに、図２中ｙ方向に同一間隔を空けて配列した３個の係止溝を有する場合について記載している。しかしながら、アダプタ本体２１の側面２１ａ及び側面２１ｂのそれぞれに配列される係止溝の数は３個に限定する必要はない。したがって、係止溝の数は２個でもよいし、４個以上であってもよい。また、図２中ｙ方向に同一間隔を空けて３個の係止溝を配列した場合について説明するが、複数の係止溝を図２中ｙ方向に連続的に配列することも可能である。
【００１３】
固定枠２２は、アダプタ本体２１を保持した状態で、電子機器の表面パネルなどに固定される。図３に示すように、固定枠２２は、中央部分にアダプタ本体２１が挿入される開口３１を備えた枠形状から生成される。開口３１の内壁面３２ａには、板ばね３３の一端が固定される。また、開口３１の内壁面３２ａに対峙する内壁面３２ｂには、板ばね３４の一端が固定される。固定枠２２に有する開口３１のｘ方向の幅は、アダプタ本体２１が挿入されたときに変形する板ばね３３と板ばね３４との間にアダプタ本体２１が挿入できる幅となるように設定される。
【００１４】
板ばね３３，３４は、一方向における略中央部分が所定の角度屈曲したばねである。板ばね３３，３４は、アダプタ本体２１を固定枠２２の開口３１に挿入したときに、アダプタ本体２１の側面２１ａ及び側面２１ｂに有する係止溝にそれぞれ係止される。したがって、上述した所定の角度は、アダプタ本体２１の側面２１ａ及び側面２１ｂの係止溝を構成する２つの傾斜面がなす角度と略同一の角度に設定される。
【００１５】
板ばね３３は、屈曲した部分（以下、屈曲部）が内壁面３２ｂに向けて突出するように、板ばね３３の一端側が内壁面３２ａに固定される。板ばね３３の一端を開口の内壁面３２ａに固定した状態では、板ばね３３の長手方向の他端は開口３１から固定枠２２の後方に突出している。つまり、内壁面３２ａに固定される板ばね３３の一端が固定端となり、板ばね３３の他端が自由端となる。以下、板ばね３３の屈曲部３３ａから固定端側の一片を第１片３３ｂ、板ばね３３の屈曲部３３ａから自由端側の一片を第２片３３ｃと称する。上述したように、板ばね３３の第２片３３ｃ側の一端を自由端としている。つまり、板バネの３３の第２片３３ｃを固定枠２２に向けて押圧操作することで、板ばね３３とアダプタ本体２１の側面２１ａの係止溝との係止を解除することができる。
【００１６】
同様にして、板ばね３４は、屈曲した部分（以下、屈曲部）が内壁面３２ａに向けて突出するように、板ばね３４の一端が開口３１の内壁面３２ｂに固定される。板ばね３４の一端を内壁面３２ｂに固定した状態では、板ばね３４の他端は開口３１から固定枠２２の後方に突出している。つまり、板ばね３４の一端が固定端となり、他端が自由端となる。以下、板ばね３４の屈曲部３４ａから固定端側の一片を第１片３４ｂ、板ばね３４の屈曲部３４ａから自由端側の一片を第２片３４ｃと称する。上述したように、板ばね３４の第２片３４ｃ側の一端を自由端としている。つまり、板バネ３４の第２片３４ｃを固定枠２２に向けて押圧操作することで、板ばね３４とアダプタ本体２１の側面２１ｂの係止溝との係止を解除することができる。
【００１７】
ここで、アダプタ本体２１の側面２１ａの係止溝２７ａ，２７ｂ，２７ｃ、側面２１ｂの係止溝２８ａ，２８ｂ，２８ｃ及び固定枠２２の板ばね３３，３４が、位置調整機構となる。
【００１８】
固定枠２２は、２つの係止爪４０を前面上部及び前面下部に有する。係止爪４０は、例えば電子機器の表面パネルに光コネクタ用アダプタ１０を固定する際に、表面パネルに設けた取付孔に挿通される。係止片４０は、先端に有するスリット４１により、左右一対の弾性片４２，４３を有する。弾性片４２，４３は、先端部に爪部４４，４５を有する。
【００１９】
光コネクタ用アダプタ１０は、固定枠２２の板ばね３３，３４が係止されるアダプタ本体２１の側面２１ａの係止溝及び側面２１ｂの係止溝の位置により、固定枠２２に対するアダプタ本体２１の位置を調整することが可能である。
【００２０】
図４（ａ）は、板ばね３３がアダプタ本体２１の側面２１ａの係止溝２７ｃに、板ばね３４がアダプタ本体２１の側面２１ｂの係止溝２８ｃに係止された状態を示す。板ばね３３がアダプタ本体２１の側面２１ａの係止溝２７ｃに、板ばね３４がアダプタ本体２１の側面２１ｂの係止溝２８ｃに係止されると、アダプタ本体２１はｙ方向の長さの１／４程度固定枠２２の開口３１に挿入された状態となる。以下、図４（ａ）に示す光コネクタ用アダプタ１０の状態を第１状態と称する。
【００２１】
図４（ｂ）は、板ばね３３がアダプタ本体２１の側面２１ａの係止溝２７ｂに、板ばね３４がアダプタ本体２１の側面２１ｂの係止溝２８ｂに係止された状態を示す。板ばね３３がアダプタ本体２１の側面２１ａの係止溝２７ｂに、板ばね３４がアダプタ本体２１の側面２１ｂの係止溝２８ｂに係止されると、アダプタ本体２１はｙ方向の長さの１／２程度固定枠２２の開口３１に挿入された状態となる。以下、図４（ｂ）に示す光コネクタ用アダプタ１０の状態を第２状態と称する。
【００２２】
図４（ｃ）は、板ばね３３がアダプタ本体２１の側面２１ａの係止溝２７ａに、板ばね３４がアダプタ本体２１の側面２１ｂの係止溝２８ａに係止された状態を示す。板ばね３３がアダプタ本体２１の側面２１ａの係止溝２７ａに、板ばね３４がアダプタ本体２１の側面２１ｂの係止溝２８ａに係止されると、アダプタ本体２１はｙ方向の長さの３／４程度固定枠２２の開口３１に挿入された状態となる。以下、図４（ｃ）に示す光コネクタ用アダプタ１０の状態を第３状態と称する。
【００２３】
次に、アダプタ本体２１の固定枠２２への取り付けについて説明する。以下、固定枠２２を表面パネル５０に取り付けた後に、アダプタ本体２１を固定枠２２に取り付ける場合について説明する。
【００２４】
図５（ａ）に示すように、固定枠２２を表面パネル５０の背面側から取り付けるときには、ユーザは、係止爪４０を表面パネル５０に設けた取付孔５０ａに位置合わせし、固定枠２２を表面パネル５０に向けて（−ｙ方向に）押圧する。固定枠２２を表面パネル５０に向けて押圧すると、係止爪４０の弾性片４２，４３の先端側が内側に変形する。係止爪４０の弾性片４２，４３の先端側が内側に変形することで、係止爪４０の先端側が縮退し、係止爪４０が取付孔５０ａに挿通される。図５（ｂ）に示すように、係止爪４０が取付孔５０ａに挿通されると、弾性片４２，４３の先端側が拡開して、係止爪４０の爪部３４，３５が表面パネル５０の取付孔５０ａの周縁部に係止される。これにより、固定枠２２が、表面パネル５０の背面側に固定される。
【００２５】
次に、表面パネル５０に取り付けた固定枠２２にアダプタ本体２１を取り付ける。以下、アダプタ本体２１を表面パネル５０側から固定枠２２に取り付ける場合を説明するが、固定枠２２の背面側からアダプタ本体２１を取り付けることも可能である。
【００２６】
図６（ａ）に示すように、アダプタ本体２１を固定枠２２に挿入していない状態では、板ばね３３の屈曲部３３ａは、開口３１に挿入されるアダプタ本体２１の移動軌跡上に位置している。同様に、板ばね３４の屈曲部３４ａは、開口３１に挿入されるアダプタ本体２１の移動軌跡上に位置している。
【００２７】
図６（ｂ）に示すように、ユーザは、アダプタ本体２１の一端部を表面パネル５０の開口５０ｂを介して固定枠２２の開口３１に押し込む。アダプタ本体２１を固定枠２２に押し込むと、固定枠２２の開口３１に挿入されるアダプタ本体２１の一端部が、板ばね３３の第１片３３ｂ及び板ばね３４の第１片３４ｂにそれぞれ当接される。
【００２８】
さらにアダプタ本体２１を固定枠２２の開口３１に押し込むと、板ばね３３の第１片３３ｂがアダプタ本体２１の一端に押圧されて変形し、板ばね３３の屈曲部３３ａがアダプタ本体２１の移動軌跡上から退避する。同時に、板ばね３４の第１片３４ｂがアダプタ本体２１の一端に押圧されて変形し、板ばね３４の屈曲部３４ａがアダプタ本体２１の移動軌跡上から退避する。
【００２９】
変形する板ばね３３，３４は、押し込まれるアダプタ本体２１の側面２１ａ，２１ｂにそれぞれ摺接される。押し込まれるアダプタ本体２１の側面２１ａの係止溝２７ｃが変形する前の板ばね３３の位置まで移動すると、板ばね３３とアダプタ本体２１の側面２１ａとの摺接が解除される。その結果、図６（ｃ）に示すように、変形した板ばね３３が元の状態に復帰して、板ばね３３が係止溝２７ｃに係止される。上述したように、ｙ方向におけるアダプタ本体２１の側面２１ａの係止溝２７ｃの位置とアダプタ本体２１の側面２１ｂの係止溝２８ｃの位置は同一位置である。したがって、板ばね３３が係止溝２７ｃに係止されるときには、変形している板ばね３４も元の状態に復帰する。板ばね３４が元の状態に復帰することで、板ばね３４が係止溝２８ｃに係止される。したがって、アダプタ本体２１は、板ばね３３を係止溝２７ｃに、板ばね３４を係止溝２８ｃに係止させた状態で固定枠２２に保持される。つまり、光コネクタ用アダプタ１０が第１状態となる。
【００３０】
ここで、光コネクタ用アダプタ１０を第２状態で使用する場合には、第１状態となる光コネクタ用アダプタ１０に対して、以下の動作を実行する。まず、ユーザは、板ばね３３の第２片３３ｃをＤ方向に、板ばね３３の第２片３３ｃをＥ方向にそれぞれ押圧する。これにより、板ばね３３及び板ばね３４が変形し、板ばね３３と係止溝２７ｃとの係止及び板ばね３４と係止溝２８ｃとの係止が解除される。
【００３１】
図７（ａ）に示すように、ユーザは、アダプタ本体２１をアダプタ本体２１の側面２１ａの係止溝２７ｂが板ばね３３の位置まで固定枠２２に押し込む。このときに、ユーザは、板ばね３３の第２片３３ｃのＤ方向への押圧を解除する。板ばね３３のＤ方向への押圧が解除されると、板ばね３３が元の状態に復帰し、板ばね３３が係止溝２７ｂに係止される。ｙ方向において、アダプタ本体２１の側面２１ｂの係止溝２８ｂの位置は、側面２１ａの係止溝２７ｂと同一位置である。ユーザは、板ばね３３の第２片３３ｃのＤ方向への押圧を解除するときに、板ばね３４の第２片３４ｃのＥ方向への押圧を解除する。板ばね３４の第２片３４ｃのＥ方向への押圧を解除すると、板ばね３４が元の状態に復帰し、板ばね３４が係止溝２８ｂに係止される。これにより、光コネクタ用アダプタ１０が第２状態となる。
【００３２】
また、光コネクタ用アダプタ１０を第３状態で使用する場合には、第２状態となる光コネクタ用アダプタ１０に対して、以下の動作をさらに実行する。ユーザは、再度、板ばね３３の第２片３３ｃをＤ方向に、板ばね３３の第２片３３ｃをＥ方向に押圧する。そして、ユーザは、アダプタ本体２１を固定枠２２にさらに押し込む。アダプタ本体２１をアダプタ本体２１の側面２１ａの係止溝２７ａが板ばね３３の位置まで固定枠２２に押し込む。このときに、ユーザは、板ばね３３の第２片３３ｃのＤ方向への押圧を解除する。板ばね３３のＤ方向への押圧が解除されると、板ばね３３が元の状態に復帰する。したがって、図７（ｂ）に示すように、板ばね３３が係止溝２７ａに係止される。ｙ方向において、アダプタ本体２１の側面２１ｂの係止溝２８ａの位置は、側面２１ａの係止溝２７ａと同一位置である。ユーザは、板ばね３３の第２片３３ｃのＤ方向への押圧を解除するときに、板ばね３４の第２片３４ｃのＥ方向への押圧を解除する。板ばね３４の第２片３４ｃのＥ方向への押圧を解除すると、板ばね３４が元の状態に復帰し、板ばね３４が係止溝２８ａに係止される。これにより、光コネクタ用アダプタ１０が第３状態となる。
【００３３】
なお、固定枠２２に保持されたアダプタ本体２１の位置を調整して、光コネクタ用アダプタ１０の状態を切り替える場合には、ユーザは、板ばね３３の第２片３３ｃをＤ方向へ押圧し、板ばね３４の第２片３４ｃをＥ方向へ押圧する。そして、ユーザは、アダプタ本体をｙ方向又は−ｙ方向に移動させた後、板ばね３３の第２片３３ｃのＤ方向への押圧、及び板ばね３４の第２片３４ｃのＥ方向への押圧を解除する。板ばね３３の第２片３３ｃのＤ方向への押圧、及び板ばね３４の第２片３４ｃのＥ方向への押圧を解除することで、ばね３３及びばね３４が意図する位置にある係止溝にそれぞれ係止される。これにより、光コネクタ用アダプタ１０の状態を切り替える、言い換えれば、固定枠２２に対するアダプタ本体２１の位置の調整が可能となる。
【００３４】
図８（ａ）及び図８（ｂ）は、プリント回路基板６０の周縁部に設けられる部品の実装不可エリアが約２６ｍｍしか確保できない場合を示す。このようなプリント回路基板６０が電子機器に実装されるときに、表面パネル５０の前面側における設置スペースが約６４ｍｍ以上確保できる場合には、光コネクタ用アダプタ１０は、上述した第１状態で使用される。
【００３５】
図９（ａ）及び図９（ｂ）は、プリント回路基板６１の周縁部に設けられる部品の実装不可エリアが約３３ｍｍ程度確保できる場合を示す。このようなプリント回路基板６０が電子機器に実装されるときに、表面パネル５０の前面側における設置スペースが６０ｍｍ以上確保できる場合には、光コネクタ用アダプタ１０は、第２状態で使用される。なお、表面パネル５０の前面側における設置スペースが約６０ｍｍ以上確保できるのであれば、光コネクタ用アダプタ１０は第１状態で使用してもよい。また、プリント回路基板６１の周縁部に設けられる部品の実装不可エリアが約６０ｍｍ以上確保できるのであれば、光コネクタ用アダプタ１０は第３状態で使用してもよい。
【００３６】
図１０（ａ）及び図１０（ｂ）は、プリント回路基板６２の周縁部に設けられる部品の実装不可エリアが約４０ｍｍ程度確保できる場合を示す。このようなプリント回路基板６０が電子機器に実装されるときに、表面パネル５０の前面側における設置スペースが約５０ｍｍしか確保できない場合には、光コネクタ用アダプタ１０は第３状態で使用される。
【００３７】
このように、電子機器内部の装置構成（特にプリント回路基板上の電子部品の配置）や、表面パネル５０の前面の設置スペースに応じて、固定枠に対するアダプタ本体の相対位置を調整することで、光ケーブルの配線設計における自由度を向上させることができる。
【００３８】
また、光コネクタ用アダプタ１０に有する位置調整機構により、固定枠２２に対するアダプタ本体２１の相対位置を適宜調整できるので、電子機器内部の装置構成や表面パネル５０の前面の設置スペースに応じた光コネクタ用アダプタを予め用意する手間がなくなる。したがって、光コネクタ用アダプタの製造コストを抑えることができる。
【００３９】
さらに、固定枠２２に有する板ばね３３及び板ばね３４が、アダプタ本体２１の側面２１ａ及び側面２１ｂに有する複数の係止溝のいずれかに係止する構成とすることで、位置調整機構の構成を簡易な構成とすることができる。
【００４０】
本実施形態では、アダプタ本体２１の側面２１ａ及び側面２１ｂにｙ方向に３つの係止溝を配列した構成としている。しかしながら、アダプタ本体２１の側面２１ａ又は側面２１ｂの両面に係止溝を設けるのではなく、いずれか一方の側面に係止溝を設けることも可能である。この場合、アダプタ本体２１の側面２１ａ及び側面２１ｂの一方の側面に係止溝を設ける。そして、係止溝が設けられていない側面と、該側面に対峙する開口の内壁面とのいずれか一方にレール溝を、他方にレール溝に入り込む突起を設けることも可能である。
【００４１】
本実施形態では、１芯の光コネクタ用の光コネクタ用アダプタについて開示しているが、２芯の光コネクタ用の光コネクタ用アダプタに対して本発明を用いることも可能である。
【００４２】
本実施形態では、１個のアダプタ本体を固定枠に保持する光コネクタ用アダプタについて開示しているが、複数の光コネクタ用アダプタを並置して用いる場合がある。本実施形態の光コネクタ用アダプタを並置する場合には、各光コネクタ用アダプタに有する固定枠の幅を考慮する必要がある。その結果、複数の光コネクタ用アダプタを並置するスペースが大きくなる。したがって、複数の光コネクタ用アダプタを並置するのではなく、図１１に示すように、３個のアダプタ本体６５ａ，６５ｂ，６５ｃを１つの固定枠６６に保持することが可能な光コネクタ用アダプタ７０を設けることも可能である。
【符号の説明】
【００４３】
１０…光コネクタ用アダプタ、１１，１３…光ケーブル、１２，１４…光コネクタ、２１…アダプタ本体、２２…固定枠、２７ａ，２７ｂ，２７ｃ，２８ａ，２８ｂ，２８ｃ…係止溝、３１…開口、３３，３４…板ばね、４０…係止爪、５０…表面パネル、５０ａ…取付孔
【図１】
2015222342.tif 000003
【図２】
2015222342.tif 000004
【図３】
2015222342.tif 000005
【図４】
2015222342.tif 000006
【図５】
2015222342.tif 000007
【図６】
2015222342.tif 000008
【図７】
2015222342.tif 000009
【図８】
2015222342.tif 000010
【図９】
2015222342.tif 000011
【図１０】
2015222342.tif 000012
【図１１】
2015222342.tif 000013